(57)【要約】【課題】十分な強度を維持して破断用テープにより容易に開梱することができ、破断屑が少なく、しかも上半部と下半部との分離を円滑に行うことができ、更に内部への塵埃の侵入を確実に防止することができる包装箱を提供する。【解決手段】側壁板４，５及び内フラップ８の内面に、破断用テープ１１を設ける。内フラップ８の先端部に、破断用テープ１１の上下側に沿って形成された一対の破断開始用切れ目１２，１３による摘み部１４を設ける。外フラップ９の当接部１５に、複数の切れ目１７，１８による押し込み部２１を設け、摘み部１４の端縁部への指掛けを可能とする。押し込み部２１は、その一部が摘み部１４の一部に重合する。【選択図】図３
2006151440.tif 000002
【特許請求の範囲】
【請求項１】
段ボール板紙によって形成され、矩形状の底板の前後側縁に夫々折目線を介して連設された一対の側壁板を起立させ、一方の側壁板の先端縁に折目線を介して連設された天板を前記底板に平行に折り曲げ、両側壁板の各左右側縁に折目線を介して一対ずつ連設された各内フラップを互いに内方に折り曲げると共に各内フラップの先端縁間に間隔を形成し、前記底板と前記天板との各左右側縁に折目線を介して一対ずつ連設された各外フラップを夫々上下から内方に折り曲げ、各外フラップの先端部の少なくとも各内フラップの先端縁間の間隔に対応する位置に突設された当接部の先端縁同士を互いに当接させ、各外フラップを前記内フラップに接着することにより形成される包装箱において、
前記側壁板及び内フラップには、開梱時に該側壁板の左右方向にわたって帯状に破断する破断部が設けられ、
各内フラップの先端部には破断部の上下側に沿って形成された一対の破断開始用切れ目による摘み部が設けられ、
上下のうち少なくとも一方の外フラップの前記当接部の両側端部に、前記摘み部の端縁部への指掛けを可能とすべく、前記摘み部に向かって延びる複数の切れ目によって該当接部の両側端部を押し込み自在とする押し込み部が設けられ、
該押し込み部は、その一部が前記摘み部の一部に重合して設けられていることを特徴とする包装箱。
【請求項２】
前記押し込み部は、前記当接部の先端縁から所定距離を存して該先端縁と平行に形成された第１の切れ目と、該第１の切れ目と当接部の先端縁との間に該先端縁と平行に形成された第２の切れ目とによって当接部の両側端部から遊離自在となる一対の押し込み片を備え、両押し込み片の基端部には、両押し込み片が押し込まれたときに、第２の切れ目を介して両押し込み片を互いに離反させる方向に折り曲げ案内すべく傾斜する折り目線が形成されていることを特徴とする請求項１記載の包装箱。
【発明の詳細な説明】
【技術分野】
【０００１】
本発明は、破断用テープ等により開封可能とされる包装箱に関する。
【背景技術】
【０００２】
従来、打抜かれた段ボール板紙上に内容物を載せ、該内容物を包み込むように段ボール板紙を折り曲げて、箱の組立てと同時に内容物の包装が完了するラップアラウンドケースと言われる包装箱が知られている。この種の包装箱は、底板と、該底板の上方に対向する天板と、底板の両側に起立する一対の側壁板とによって胴部が形成され、該胴部の両端においては、側壁板の両側に連設された各内フラップと、底板及び天板に連設された各外フラップとによって閉塞される。そして、この種の包装箱においては、両側壁板の内面に破断用テープを設け、側壁板に形成されたＨ字状の切れ目による破断開始部から両側壁板を破断用テープにより切り裂いてトレー状に開梱される。しかし、側壁板にＨ字状の切れ目を設けることにより、側壁板の強度が低下するだけでなく、箱全周にわたって破断した際には両側壁板について一対ずつ帯状の破断屑が発生するので、破断屑の処理が煩わしい。
【０００３】
そこで、従来、各内フラップの先端縁から側壁板にわたって破断用テープを設けておき、一対の内フラップ間に間隙を設けると共に上下の外フラップの間に間隙を形成しておき、この間隙に対応する位置に各内フラップの破断用テープの破断開始部を露出させたものが知られている（特許文献１参照）。
【０００４】
これによれば、各内フラップの先端から各側壁板を破断することができ、破断用テープによる帯状の破断屑も少なくすることができる。しかし、外フラップの間に間隙が形成されていることによって、外フラップと内フラップとによって閉塞される側の強度が弱いばかりか、外フラップと内フラップとによって完全に閉塞することができず、箱の内部に塵埃等が侵入するために食料品等の包装には不適である。
【０００５】
そこで、上下の外フラップをその中央部で互いに当接させて内フラップに重合し、各外フラップの両側に切欠きを設けて、該切欠きに対応する位置の内フラップに破断用テープによる破断開始位置となるＨ字状の切れ目を設けたものが知られている（特許文献２参照）。
【０００６】
これによれば、外フラップと内フラップとによって胴部を完全に閉塞することができ、その強度も十分に得ることができる。しかし、Ｈ字状の切れ目による破断開始位置が外フラップの切欠きに対応する位置にあるため、破断用テープによって内フラップ及び側壁板を破断しても、外フラップと内フラップとが重合する位置は破断できず、箱を上半部と下半部とに分離させることが困難となる不都合がある。
【特許文献１】実公昭５３−５１７号公報（第２図）
【特許文献２】実公昭５４−３２７４２号公報（第７図）
【発明の開示】
【発明が解決しようとする課題】
【０００７】
かかる不都合を解消して、本発明は、十分な強度を維持して破断用テープにより容易に開梱することができ、破断屑が少なく、しかも上半部と下半部との分離を円滑に行うことができ、更に内部への塵埃の侵入を確実に防止することができる包装箱を提供することを目的とする。
【課題を解決するための手段】
【０００８】
かかる目的を達成するために、本発明は、段ボール板紙によって形成され、矩形状の底板の前後側縁に夫々折目線を介して連設された一対の側壁板を起立させ、一方の側壁板の先端縁に折目線を介して連設された天板を前記底板に平行に折り曲げ、両側壁板の各左右側縁に折目線を介して一対ずつ連設された各内フラップを互いに内方に折り曲げると共に各内フラップの先端縁間に間隔を形成し、前記底板と前記天板との各左右側縁に折目線を介して一対ずつ連設された各外フラップを夫々上下から内方に折り曲げ、各外フラップの先端部の少なくとも各内フラップの先端縁間の間隔に対応する位置に突設された当接部の先端縁同士を互いに当接させ、各外フラップを前記内フラップに接着することにより形成される包装箱において、前記側壁板及び内フラップには、開梱時に該側壁板の左右方向にわたって帯状に破断する破断部が設けられ、各内フラップの先端部には破断部の上下側に沿って形成された一対の破断開始用切れ目による摘み部が設けられ、上下のうち少なくとも一方の外フラップの前記当接部の両側端部に、前記摘み部の端縁部への指掛けを可能とすべく、前記摘み部に向かって延びる複数の切れ目によって該当接部の両側端部を押し込み自在とする押し込み部が設けられ、該押し込み部は、その一部が前記摘み部の一部に重合して設けられていることを特徴とする。
【０００９】
本発明によれば、上下のうち少なくとも一方の外フラップの前記当接部の両側端部に前記押し込み部を設けたことにより、該押し込み部を指等で押し込むことで内フラップの先端部に指を掛けることができる。該押し込み部は前記摘み部に向かって延びる複数の切れ目によって形成されていることにより、該押し込み部から容易に摘み部を把持することができ、例えば、破断テープ或いはライナーカットにより帯状に破断される前記破断部の破断を円滑に開始することができる。更にこのとき、内フラップの先端部から破断を開始することができるので、一方側の内フラップから一方の側壁板を経て他方側の内フラップにわたって直線状に破断することができ、両側壁板を破断したときに上半部と下半部との分離が円滑に行えると共に発生する破断屑が一対のみであるので、破断屑処理の煩わしさを軽減することができる。また、破断前は上下の外フラップが前記当接部を介して互いに当接しているので、十分な強度が維持でき、しかも、前記押し込み部の一部が前記摘み部の一部に重合しているので、各内フラップの先端縁間の間隔を確実に閉塞して箱内部への塵埃等の侵入を防止することができる。
【００１０】
更に、本発明において、前記押し込み部は、前記当接部の先端縁から所定距離を存して該先端縁と平行に形成された第１の切れ目と、該第１の切れ目と当接部の先端縁との間に該先端縁と平行に形成された第２の切れ目とによって当接部の両側端部から遊離自在となる一対の押し込み片を備え、両押し込み片の基端部には、両押し込み片が押し込まれたときに、第２の切れ目を介して両押し込み片を互いに離反させる方向に折り曲げ案内すべく傾斜する折り目線が形成されていることを特徴とする。
【００１１】
これによって、前記押し込み部の第２の切れ目から指等を押し込んだときに、両押し込み片が夫々の傾斜する折り目線に沿って内フラップの先端縁の内側方向に向かって互いに離反しつつ折れ曲がり、同時に前記摘み部に指が掛かって円滑に破断を開始することができる。また、前記押し込み部を第１の切れ目と第２の切れ目とによって構成したことにより、該押し込み部が押し込まれていない状態では、確実に各内フラップの先端縁間の間隔を覆うことができ、箱内部への塵埃等の侵入を確実に防止して、しかも、各内フラップの先端縁の摘み部への指掛けを極めて容易に行うことができる。
【発明を実施するための最良の形態】
【００１２】
本発明の一実施形態を図面に基づいて説明する。図１は本実施形態の包装箱の外観を示す説明的斜視図、図２は本実施形態の包装箱の展開状態の平面図、図３は本実施形態の包装箱の要部を示す説明的側面図、図４（ａ）乃至（ｃ）は本実施形態の包装箱の開梱作業を示す説明図である。
【００１３】
本実施形態の包装箱１は、図１に示すように、外観が直方体状に形成され、内部に図示しない内容物が収納されている。該包装箱１は、所謂ラップアラウンドケースであり、図２に示すように、大略矩形状に打抜いて形成された段ボール板紙２により組立てられる。
【００１４】
該段ボール板紙２は、底板３と、該底板３の前側縁に折目線を介して連設された前側壁板４と、該底板３の後側縁に折目線を介して連設された後側壁板５と、該後側壁板５の先端縁に折目線を介して連設された天板６とを備えている。また、天板６の先端縁には、折目線を介して接着片７が連設されている。
【００１５】
前記前側壁板４と前記後側壁板５との夫々の左右側縁には、一対の内フラップ８が折目線を介して連設されている。前記天板６の左右側縁には一対の上外フラップ９が折目線を介して連設され、前記底板３の左右側縁には一対の下外フラップ１０が折目線を介して連設されている。
【００１６】
更に、前記前側壁板４及びその両側の内フラップ８と、前記後側壁板５及びその両側の内フラップ８との夫々には帯状に連続して破断可能とするための破断部として破断用テープ１１が設けられている。破断用テープ１１による破断開始位置となる各内フラップ８の先端部には破断用テープ１１の上下側に沿って形成された一対の破断開始用切れ目１２，１３による摘み部１４が設けられている。なお、一方の（組立時に下側となる）破断開始用切れ目１２はその全長にわたって略直線状に形成されており、他方の（組立時に上側となる）破断開始用切れ目１３はその一部が内フラップ８の先端部に向かって破断用テープ１１から次第に離反する方向に傾斜しており、これによって、摘み部１４を比較的幅広に形成して摘みやすくなっている。なお、本実施形態においては、破断部を破断用テープ１１により形成したが、例えば、図示しないが、破断方向に配列された不連続の切れ目からなる所謂ライナーカットにより破断部を形成してもよい。
【００１７】
また、図３に示すように、組立状態の包装箱１では、互いに向き合う内フラップ８の先端縁間に間隔ｘが形成される。更に、図２に示すように、上外フラップ９及び下外フラップ１０には、当該間隔ｘ（図３参照）より僅かに幅広の当接部１５，１６が夫々形成されており、図３に示すように、両当接部１５，１６を互いに当接することによって内フラップ８の間隔ｘが確実に閉塞される。そして、上外フラップ９及び下外フラップ１０は内フラップ８との重合部分において接着されている。
【００１８】
また、図２に示すように、上外フラップ９の当接部１５の両側端部には、当接部１５の先端縁に平行に延びる第１の切れ目１７と、該第１の切れ目１７と当接部１５の先端縁との間に平行に延び且つ第１の切れ目１７よりも僅かに長い第２の切れ目１８とが形成されている。両切れ目１７，１８は、図３に示すように、前記摘み部１４に向かって延びており、両切れ目１７，１８によって当接部から遊離自在の一対の押し込み片１９，２０が形成されている。両押し込み片１９，２０によって押し込み部２１が構成しており、図２に示すように、両押し込み片１９，２０の基端部には夫々傾斜する傾斜折り目線２２，２３が設けられている。
【００１９】
更に、図２及び図３に示すように、上外フラップ９の当接部１５の両側及び下外フラップ１０の当接部１６の両側には、互いに対向して前記摘み部１４及び破断用テープ１１による各内フラップ８の破断部分に対応する形状となる切欠部２４，２５が夫々形成されている。両切欠部２４，２５は、その夫々において、前記摘み部１４の外側形状に対応して拡開する拡開部２６，２７と、各拡開部２６，２７よりも破断用テープ１１による破断部分に近接する位置で破断方向に沿って略直線状に延びる破断部開放部２８，２９を形成している。
【００２０】
また、下外フラップ１０の当接部１６の両側端部には、当接部１６の先端縁に平行に延びる第３の切れ目３０が形成されている。第３の切れ目３０は、摘み部１４を把持して破断方向に引っ張る際に当接部１６の両側端部の撓みを促すものである。
【００２１】
そして、図３に示すように、両押し込み片１９，２０の先端部の一部は、前記摘み部１４の先端部の一部に外側から重合されている。
【００２２】
本実施形態の包装箱１を段ボール板紙２から組み立てるときには、底板３の前側縁に沿って前側壁板４を起立させ、底板３の後側縁に沿って後側壁板５を起立させ、後側壁板５の先端縁に沿って天板６を水平に折り曲げた後に、接着片７を前側壁板４に接着することで四角筒状の胴部を形成する。そして、各内フラップ８を内方に折り曲げ、各外フラップ９，１０を内方に折り曲げて内フラップ８の外側に重合させて、各外フラップ９，１０を各内フラップ８に接着する。これにより、図１に示すように、直方体状に形成される。
【００２３】
次に、以上の構成からなる本実施形態の包装箱１の開梱作業を説明する。先ず、図４（ａ）に示すように、押し込み部２１に指を入れる。このとき、第２の切れ目１８が押し開かれ、両押し込み片１９，２０が傾斜折り目線２２，２３によって互いに離反する方向に折り曲げ案内される。そして、包装箱１の内部に折れ曲がり、両押し込み片１９，２０が摘み部１４の先端部の内側に入り込み、摘み部１４が露出する。
【００２４】
これによって、同時に摘み部１４を把持することができ、図４（ｂ）に示すように、摘み部１４を破断方向に引っ張ることで破断用テープ１１に沿った破断が円滑に行える。このような手順により前側壁板４と後側壁板５との両方を上下に破断分割することで、図４（ｃ）に示すように、包装箱１を上半部１ａと下半部１ｂとに分断して開梱することができる。
【図面の簡単な説明】
【００２５】
【図１】本発明の一実施形態の包装箱の外観を示す説明的斜視図。
【図２】本実施形態の包装箱の展開状態の平面図。
【図３】本実施形態の包装箱の要部を示す説明的側面図。
【図４】本実施形態の包装箱の開梱作業を示す説明図。
【符号の説明】
【００２６】
１…包装箱、２…段ボール板紙、３…底板、４，５…側壁板、６…天板、８…内フラップ、９…上外フラップ（外フラップ）、１０…下外フラップ（外フラップ）、１１…破断用テープ（破断部）、１２，１３…破断開始用切れ目、１４…摘み部、１５…当接部、１７…第１の切れ目、１８…第２の切れ目、１９，２０…押し込み片、２１…押し込み部、２２，２３…傾斜折り目線（傾斜する折り目線）、ｘ…間隔。
【図１】
2006151440.tif 000003
【図２】
2006151440.tif 000004
【図３】
2006151440.tif 000005
【図４】
2006151440.tif 000006